(57)【要約】【課題】  この発明は、ピーク輝度値を高くすることが可能となる表示装置を提供することを目的とする。【解決手段】  入力信号に対して、１ライン毎に最大値を検出する第１手段、各ライン毎の最大値と予め定められた閾値とを用いて各ラインが予め定められた複数の分類のうちのいずれに属するかを判別するとともに、各分類毎にその分類に属するライン総数を算出する第２手段、第２手段によって得られた各分類に属するライン総数と予め定められた基準総点灯回数とに基づいて、１フィールド期間内の各分類毎の点灯回数を決定し、第２手段によって得られた各ライン毎の分類結果と１フィールド期間内の各分類毎の点灯回数とに基づいて、１フィールド期間内の各ライン毎の点灯回数を決定する第３手段を備えている。【選択図】  図１
2005099598.tif 000002
【特許請求の範囲】
【請求項１】
自発光型表示器を備えた表示装置において、入力信号におけるライン毎の最大値のレベル分布に応じて、各ラインの点灯方式および入力信号を制御する手段を備えていることを特徴とする表示装置。
【請求項２】
自発光型表示器を備えた表示装置において、
入力信号に対して、１ライン毎に最大値を検出する第１手段、
各ライン毎の最大値と予め定められた閾値とを用いて各ラインが予め定められた複数の分類のうちのいずれに属するかを判別するとともに、各分類毎にその分類に属するライン総数を算出する第２手段、
第２手段によって得られた各分類に属するライン総数と予め定められた基準総点灯回数とに基づいて、１フィールド期間内の各分類毎の点灯回数を決定し、第２手段によって得られた各ライン毎の分類結果と１フィールド期間内の各分類毎の点灯回数とに基づいて、１フィールド期間内の各ライン毎の点灯回数を決定する第３手段、および
第３手段によって決定された１フィールド期間内の各ライン毎の点灯回数に基づいて、当該１フィールド内の各ラインの入力信号に対して補正処理を行うとともに、第３手段によって決定された１フィールド期間内の各ライン毎の点灯回数と補正処理後の入力信号を用いて自発光型表示器を制御する第４手段、
を備えていることを特徴とする表示装置。
【請求項３】
第３手段は、上記各分類に対する点灯回数のパターンが異なる複数の点灯パターン毎に第２手段によって得られた各分類に属するライン総数に基づいて総点灯回数を算出し、算出した総点灯回数と予め定められた基準総点灯回数とを比較することにより、１フィールド期間内の各分類毎の点灯回数を決定し、第２手段によって得られた各ライン毎の分類結果と１フィールド期間内の各分類毎の点灯回数とに基づいて、１フィールド期間内の各ライン毎の点灯回数を決定するものであることを特徴とする請求項２に記載の表示装置。
【請求項４】
第４手段によって行われる補正処理は、当該１フィールド内の各ラインの入力信号を、各分類毎の点灯回数のうちの最大点灯回数に応じてレベル分割し、レベル分割された各分割信号をゲインアップさせることにより、各点灯時に自発光型表示器に与える信号を生成する処理であることを特徴とする請求項２および３のいずれかに記載の表示装置。
【発明の詳細な説明】
【技術分野】
【０００１】
本発明は、データ電極と走査電極とがマトリクス状に配置され、走査ライン単位に点灯表示される自発光型表示器を備えた表示装置に関する。
【背景技術】
【０００２】
データ電極と走査電極とがマトリクス状に配置され、走査ライン単位に点灯表示される自発光型表示器では、１ラインの信号がデータ電極に供給されると同時に、点灯対象となるラインの走査電極に電圧が印加される。このような表示器では、全ラインを同じ点灯回数で点灯させるのが一般的であり、１フィールド期間内のライン点灯回数が多いほど表示輝度は高くなるが、走査用ドライバなどの性能によりライン点灯回数が制限されるため、ピーク輝度を充分高くすることは困難であった。
【発明の開示】
【発明が解決しようとする課題】
【０００３】
この発明は、ピーク輝度値を高くすることが可能となる表示装置を提供することを目的とする。
【課題を解決するための手段】
【０００４】
請求項１に記載の発明は、自発光型表示器を備えた表示装置において、入力信号におけるライン毎の最大値のレベル分布に応じて、各ラインの点灯方式および入力信号を制御する手段を備えていることを特徴とする。
【０００５】
請求項２に記載の発明は、自発光型表示器を備えた表示装置において、入力信号に対して、１ライン毎に最大値を検出する第１手段、各ライン毎の最大値と予め定められた閾値とを用いて各ラインが予め定められた複数の分類のうちのいずれに属するかを判別するとともに、各分類毎にその分類に属するライン総数を算出する第２手段、第２手段によって得られた各分類に属するライン総数と予め定められた基準総点灯回数とに基づいて、１フィールド期間内の各分類毎の点灯回数を決定し、第２手段によって得られた各ライン毎の分類結果と１フィールド期間内の各分類毎の点灯回数とに基づいて、１フィールド期間内の各ライン毎の点灯回数を決定する第３手段、および第３手段によって決定された１フィールド期間内の各ライン毎の点灯回数に基づいて、当該１フィールド内の各ラインの入力信号に対して補正処理を行うとともに、第３手段によって決定された１フィールド期間内の各ライン毎の点灯回数と補正処理後の入力信号を用いて自発光型表示器を制御する第４手段を備えていることを特徴とする。
【０００６】
請求項３に記載の発明は、請求項２に記載の発明において、第３手段は、上記各分類に対する点灯回数のパターンが異なる複数の点灯パターン毎に第２手段によって得られた各分類に属するライン総数に基づいて総点灯回数を算出し、算出した総点灯回数と予め定められた基準総点灯回数とを比較することにより、１フィールド期間内の各分類毎の点灯回数を決定し、第２手段によって得られた各ライン毎の分類結果と１フィールド期間内の各分類毎の点灯回数とに基づいて、１フィールド期間内の各ライン毎の点灯回数を決定するものであることを特徴とする。
【０００７】
請求項４に記載の発明は、請求項２乃至３に記載の発明において、第４手段によって行われる補正処理は、当該１フィールド内の各ラインの入力信号を、各分類毎の点灯回数のうちの最大点灯回数に応じてレベル分割し、レベル分割された各分割信号をゲインアップさせることにより、各点灯時に自発光型表示器に与える信号を生成する処理であることを特徴とする。
【発明の効果】
【０００８】
この発明によれば、ピーク輝度値を高くすることが可能となる。
【発明を実施するための最良の形態】
【０００９】
以下、図面を参照して、この発明の実施例について説明する。
【実施例】
【００１０】
図１は、無機ＥＬディスプレイ等の自発光型表示器を備えた表示装置の電気的構成を示している。
【００１１】
入力信号は、記憶部１に送られるとともに最大値検出部２に送られる。記憶部１には、１フィールド分の情報が記憶される。
【００１２】
最大値検出部２は、入力信号に対して、１ライン毎に最大値を検出する。例えば、総ライン数が４の場合には、各ライン番号をＬ０，Ｌ１，Ｌ２，Ｌ３とすると、最大値検出部２は各ライン毎にその最大値ＭＡＸ０，ＭＡＸ１，ＭＡＸ２，ＭＡＸ３を検出する。
【００１３】
最大値検出部２によって検出された各ライン毎の最大値は、比較部３に与えられる。比較部３は、各ライン毎の最大値と複数の閾値とを用いて各ラインが予め定められた複数の分類のうちのいずれに属するかを判別するとともに、各分類毎にその分類に属するライン総数を算出する。この処理の詳細については、後述する。
【００１４】
比較部３によって算出された各ライン毎の分類結果および各分類に属するライン総数は、制御情報生成部４に与えられる。制御情報生成部４は、各ライン毎の分類結果および各分類に属するライン総数と予め定められた総点灯回数とに基づいて、１フィールド期間内の点灯方式を決定し、点灯に必要な制御情報を生成する。
【００１５】
制御情報生成部４によって生成された制御情報は、制御部５に与えられる。制御部５は、制御情報に基づき、記憶部１から所定ラインの信号を読み出し、読み出した信号に対して補正を行い、補正後の信号を無機ＥＬディスプレイ１０のデータ用ドライバ１１に与える。また、制御部５は、所定ラインに対応するアドレスを無機ＥＬディスプレイ１０の走査用ドライバ１２に設定する。
【００１６】
図２は、比較部３によって行われる処理の手順を示している。図２は、１フィールドに対する処理手順を示している。
【００１７】
ここでは、表１に示すように、３つの閾値Ｔｈ１，Ｔｈ２，Ｔｈ３（Ｔｈ１＜Ｔｈ２＜Ｔｈ３）によって、各ラインの最大値が４つの分類Ｃ０，Ｃ１，Ｃ２，Ｃ３に分類される。Ｃ０は最も暗い分類であり、Ｃ３は最も明るい分類である。第１〜第４の分類Ｃ０，Ｃ１，Ｃ２，Ｃ３それぞれに属するライン総数を、Ｐ〔０〕，Ｐ〔１〕，Ｐ〔２〕，Ｐ〔３〕で表すことにする。また、ｖは、０から始まるライン番号を表している。したがって、総ライン数をＬとすると、ｖの範囲は０≦ｖ＜Ｌとなる。ライン番号ｖに対応する分類をＣ〔ｖ〕で表すことにする。また、最大値検出部２によって検出された各ライン毎の最大値を、ＭＡＸ〔０〕〜ＭＡＸ〔Ｌ−１〕で表すことにする。
【００１８】
【表１】
2005099598.tif 000003
【００１９】
まず、ｖ＝０とするとともに、Ｐ〔０〕＝Ｐ〔１〕＝Ｐ〔２〕＝Ｐ〔３〕＝０とする（ステップ１）。
【００２０】
次に、ＭＡＸ〔ｖ〕がＴｈ１より小さいか否かを判別する（ステップ２）。ＭＡＸ〔ｖ〕がＴｈ１より小さい場合には、Ｃ〔ｖ〕＝Ｃ０とするとともにＣ０に属するライン総数Ｐ〔０〕を１だけインクリメントする（Ｐ〔０〕＝Ｐ〔０〕＋１）（ステップ３）。そして、ステップ９に進む。
【００２１】
上記ステップ２においてＭＡＸ〔ｖ〕がＴｈ１以上であると判別した場合には、ＭＡＸ〔ｖ〕がＴｈ１以上でかつＴｈ２より小さいか否かを判別する（ステップ４）。ＭＡＸ〔ｖ〕がＴｈ１以上でかつＴｈ２より小さい場合には、Ｃ〔ｖ〕＝Ｃ１とするとともにＣ１に属するライン総数Ｐ〔１〕を１だけインクリメントする（Ｐ〔１〕＝Ｐ〔１〕＋１）（ステップ５）。そして、ステップ９に進む。
【００２２】
上記ステップ４においてＭＡＸ〔ｖ〕がＴｈ２以上であると判別した場合には、ＭＡＸ〔ｖ〕がＴｈ２以上でありかつＴｈ３より小さいか否かを判別する（ステップ６）。ＭＡＸ〔ｖ〕がＴｈ２以上でありかつＴｈ３より小さい場合には、Ｃ〔ｖ〕＝Ｃ２とするとともにＣ２に属するライン総数Ｐ〔２〕を１だけインクリメントする（Ｐ〔２〕＝Ｐ〔２〕＋１）（ステップ７）。そして、ステップ９に進む。
【００２３】
上記ステップ６においてＭＡＸ〔ｖ〕がＴｈ３以上であると判別した場合には、Ｃ〔ｖ〕＝Ｃ３とするとともにＣ３に属するライン総数Ｐ〔３〕を１だけインクリメントする（Ｐ〔３〕＝Ｐ〔３〕＋１）（ステップ８）。そして、ステップ９に進む。
【００２４】
ステップ９では、ｖを１だけインクリメント（ｖ＝ｖ＋１）する。つまり、ライン番号を更新する。そして、ｖ＝Ｌになったか否かを判別する（ステップ１０）。ｖ＝Ｌでなければ、つまり、ｖ＜Ｌであれば、ステップ２に戻り、同様な処理が行われる。ｖ＝Ｌであれば、全てのラインについての処理が終了したので、今回の処理を終了する。
【００２５】
各ライン毎の分類結果Ｃ〔０〕〜Ｃ〔Ｌ−１〕および各分類Ｃ０〜Ｃ３に属するライン総数Ｐ〔０〕〜Ｐ〔３〕は、制御情報生成部４に与えられる。
【００２６】
図３は、制御情報生成部４の構成を示している。
【００２７】
比較部３から与えられる各分類Ｃ０〜Ｃ３に属するライン総数Ｐ〔０〕〜Ｐ〔３〕は、点灯パターン別総点灯回数算出部４１に与えられる。比較部３から与えられる各ライン毎の分類結果Ｃ〔０〕〜Ｃ〔Ｌ−１〕は、点灯方式決定部４２に与えられる。
【００２８】
点灯パターン別総点灯回数算出部４１は、予め定められた複数種類の点灯パターン毎に、各分類Ｃ０〜Ｃ３に属するライン総数Ｐ〔０〕〜Ｐ〔３〕に基づいて、総点灯回数（点灯パターン別総点灯回数）Ｚ〔ｉ〕を算出する。
【００２９】
この例では、点灯パターンとしては、次の３つのパターンがある。
【００３０】
第１パターン：１フィールド期間内において、各分類Ｃ０，Ｃ１，Ｃ２，Ｃ３を１回ずつ点灯させるパターン
第２パターン：１フィールド期間内において、分類Ｃ０，Ｃ１を１回ずつ点灯し、分類Ｃ２，Ｃ３を２回ずつ点灯させるパターン
第３パターン：１フィールド期間内において、分類Ｃ０を１回点灯、分類Ｃ１を２回点灯、分類Ｃ２を３回点灯、分類Ｃ３を４回点灯させるパターンである。
【００３１】
第１パターン、第２パターンおよび第３パターンにおける総点灯回数（各ラインの点灯回数の総和）Ｚ〔０〕，Ｚ〔１〕，Ｚ〔２〕は、次式（１）〜（３）に基づいて算出される。
【００３２】
Ｚ〔０〕＝１×｛Ｐ〔０〕＋Ｐ〔１〕＋Ｐ〔２〕＋Ｐ〔３〕｝          …（１）
Ｚ〔１〕＝１×｛Ｐ〔０〕＋Ｐ〔１〕｝＋２×｛Ｐ〔２〕＋Ｐ〔３〕｝  …（２）
Ｚ〔２〕＝１×Ｐ〔０〕＋２×Ｐ〔１〕＋３×Ｐ〔２〕＋４×Ｐ〔３〕  …（３）
【００３３】
Ｚ〔０〕，Ｚ〔１〕，Ｚ〔２〕の大小関係は、Ｚ〔０〕≦Ｚ〔１〕≦Ｚ〔２〕となる。  点灯パターン別総点灯回数算出部４１によって算出された点灯パターン別総点灯回数Ｚ〔ｉ〕は、点灯方式決定部４２に与えられる。
【００３４】
点灯方式決定部４２は、まず、各点灯パターン別総点灯回数Ｚ〔ｉ〕と、１フィールド期間内に実際に点灯可能な総点灯回数（基準総点灯回数）Ｎとを比較し、Ｚ〔ｉ〕≦Ｎの条件を満たしかつ最大となるＺ〔ｉ〕を総点灯回数Ｚとして決定するとともに、上記条件を満たすＺ〔ｉ〕に対応する点灯パターンを選択する。基準総点灯回数Ｎは無機ＥＬディスプレイ１０の性能によって決定され、予め求められている。次に、選択した点灯パターンと、各ライン毎の分類結果Ｃ〔０〕〜Ｃ〔Ｌ−１〕とに基づいて、各ライン毎の点灯回数を決定する。そして、決定した各ライン毎の点灯回数を示す制御情報を生成する。
【００３５】
図４に示すように、Ｚ〔２〕≦Ｎという条件を満たした場合には、総点灯回数ＺはＺ〔２〕となり、点灯パターンとして第３パターンが選択される。Ｚ〔１〕≦Ｎ＜Ｚ〔２〕という条件を満たした場合には、総点灯回数ＺはＺ〔１〕となり、点灯パターンとして第２パターンが選択される。Ｎ＜Ｚ〔１〕という条件を満たした場合には、総点灯回数ＺはＺ〔０〕となり、点灯パターンとして第１パターンが選択される。
【００３６】
図５は、点灯パターンとして第３パターンが選択された場合の制御情報の例を示している。図５において、Ｈ，Ｌは点灯フラグであり、Ｈは点灯を、Ｌは非点灯を示している。この制御情報は、１フィールド期間内において、Ｃ〔０〕に属するラインは１回点灯され、Ｃ〔１〕に属するラインは２回点灯され、Ｃ〔２〕に属するラインは３回点灯され、Ｃ〔３〕に属するラインは４回点灯されることを示している。
【００３７】
制御部５は、上述したように、制御情報に基づき、記憶部１から所定ラインの信号を読み出し、読み出した信号に対して補正を行い、補正後の信号を無機ＥＬディスプレイ１０のデータ用ドライバ１１に与える。また、制御部５は、無機ＥＬディスプレイ１０の走査用ドライバ１２に対して、所定ラインに対応する走査電極が選択されるようアドレス設定を行う。
【００３８】
点灯パターンとして第３パターンが選択された場合を例にとって、制御部５の動作について説明する。
【００３９】
図６に示すように、制御部５は、まず、点灯１回目の各ラインに対する制御を行い、次に点灯２回目の各ラインに対する制御を行い、次に点灯２回目の各ラインに対する制御を行い、最後に点灯４回目の各ラインに対する制御を行う。
【００４０】
点灯１回目においては、ライン番号ｖ＝０から点灯フラグを参照し、点灯フラグがＨである場合には、点灯ラインであるため、ｖ＝０に相当するラインの入力信号を記憶部１から読み出す。そして、読み出した信号に対して後述する補正処理を行った後、点灯１回目に出力すべき信号をデータ用ドライバ１１に出力する。また、走査用ドライバ１２に対して、このときのライン番号に対応する走査電極が選択されるようアドレス出力を行う。なお、点灯１回目においては、全てのラインにおいて、点灯フラグがＨとなっているので、全てのラインにおいて、このような処理が行われる。
【００４１】
点灯２回目においては、点灯フラグがＨであるラインについては、そのラインの入力信号を記憶部１から読み出し、読み出した信号に対して後述する補正処理を行った後、点灯２回目に出力すべき信号をデータ用ドライバ１１に出力するとともに、走査用ドライバ１２に対して、そのライン番号に対応する走査電極が選択されるようアドレス出力を行う。点灯フラグがＬであるラインについては、なんら処理を行わない。
【００４２】
信号補正処理について説明する。ここでは、図７を参照して、まず、点灯回数が４回の分類Ｃ３に属するラインの入力信号に対する補正処理について説明する。
【００４３】
記憶部１から読み出した入力信号に対して、最大点灯回数（この例では４回）に応じてレベル分割する。つまり、３つの閾値Ｔｈ１，Ｔｈ２，Ｔｈ３（Ｔｈ１＜Ｔｈ２＜Ｔｈ３）によって、入力信号をレベル分割する。分類Ｃ３に属するラインの入力信号の場合には、最大値がＴｈ３より大きいので、図７に示すように、入力信号を低レベル側から４つの部分Ｓ０，Ｓ１，Ｓ２，Ｓ３に分割し、各部分毎にその最低レベルを０とした分割信号Ｓ０，Ｓ１，Ｓ２，Ｓ３を生成する。
【００４４】
点灯１回目においては、分割信号Ｓ０に対してゲイン調整を行うことにより、補正信号Ｓ０’を得る。分類Ｃ３の場合、最大４倍のゲインアップが可能であるため、ここでは４倍のゲインアップを行うものとする。ゲインアップ後の補正信号Ｓ０’をデータ用ドライバ１１に出力するとともに、本ライン番号に相当する情報を走査用ドライバ１２に出力する。
【００４５】
点灯２回目においては、分割信号Ｓ１に対してゲイン調整を行うことにより、補正信号Ｓ１’を得る。そして、ゲインアップ後の補正信号Ｓ１’をデータ用ドライバ１１に出力するとともに、本ライン番号に相当する情報を走査用ドライバ１２に出力する。
【００４６】
点灯３回目においては、分割信号Ｓ２に対して同様な処理を行う。点灯４回目においては、分割信号Ｓ３に対して同様な処理を行う。この結果、図７に示すように、入力信号の４倍の光量が得られることになる。つまり、通常の入力信号をそのままデータ用ドライバ１１に出力して、１回点灯させる場合に比べ、ゲインアップしただけ得られる光量が増加する。
【００４７】
点灯回数が１回の分類Ｃ０に属するラインの入力信号では、最大値がＴｈ１より小さいので、Ｓ０の範囲のみに信号が存在するので、点灯１回目に分割信号Ｓ０のゲイン調整後の補正信号がデータ用ドライバ１１に出力される。
【００４８】
点灯回数が２回の分類Ｃ１に属するラインの入力信号では、最大値がＴｈ１以上でかつＴＨ２より小さいので、Ｓ０，Ｓ１の範囲に信号が存在し、Ｓ２，Ｓ３の範囲に信号が存在しないので、点灯１回目に分割信号Ｓ０のゲイン調整後の補正信号がデータ用ドライバ１１に出力され、点灯２回目に分割信号Ｓ１のゲイン調整後の補正信号がデータ用ドライバ１１に出力される。
【００４９】
点灯回数が３回の分類Ｃ２に属するラインの入力信号では、最大値がＴｈ２以上でかつＴＨ３より小さいので、Ｓ０，Ｓ１，Ｓ２の範囲に信号が存在し、Ｓ３の範囲に信号が存在しないので、点灯１回目に分割信号Ｓ０のゲイン調整後の補正信号がデータ用ドライバ１１に出力され、点灯２回目に分割信号Ｓ１のゲイン調整後の補正信号がデータ用ドライバ１１に出力され、点灯３回目に分割信号Ｓ２のゲイン調整後の補正信号がデータ用ドライバ１１に出力される。
【００５０】
この実施例によれば、全体が暗く局所的に明るい部分が存在する画像においては、最大点灯回数が多い点灯パターンが選択できるようになるので、その明るい部分を従来に比べてより明るくさせることが可能となる。
【図面の簡単な説明】
【００５１】
【図１】無機ＥＬディスプレイ等の自発光型表示器を備えた表示装置の電気的構成を示すブロック図である。
【図２】比較部３によって行われる処理の手順を示すフローチャートである。理手順を示している。
【図３】制御情報生成部４の構成を示すブロック図である。
【図４】点灯方式決定部４２における条件と選択される点灯パターンとの関係を示す模式図である。
【図５】点灯パターンとして第３パターンが選択された場合の制御情報の例を示す模式図である。
【図６】制御部５における制御動作の流れ示す模式図である。
【図７】制御部５によって行われる信号補正処理を説明するための模式図である。
【符号の説明】
【００５２】
１  記憶部
２  最大値検出部
３  比較部
４  制御情報生成部
５  制御部
１０  無機ＥＬディスプレイ
１１  データ用ドライバ
１２  走査用ドライバ
【図１】
2005099598.tif 000004
【図２】
2005099598.tif 000005
【図３】
2005099598.tif 000006
【図４】
2005099598.tif 000007
【図５】
2005099598.tif 000008
【図６】
2005099598.tif 000009
【図７】
2005099598.tif 000010